(57)【要約】【課題】コンロフレーム３と、天板となる面板４を上面に固定した、下方に開口する金属製の外ケース５とを備え、コンロフレームに外ケースを上方から被せた状態で外ケースをコンロフレームに固定した卓上式コンロにおいて、外ケースの各面間のコーナ部を角張らせて、複数のコンロを並設した場合の視覚的一体感を得られ易くすると共に、面板の周縁の保護機能も得られるようにする。【解決手段】金属の押し出し成形材で形成される前パネル７、左右のサイドパネル８及び後パネル９を、面板４の下側に配置する金属板１１を介して相互に連結することにより、外ケース５を組み立てる。各パネル７，８，９に、面板４の各縁部に対向する桟部６１，６２，６３を形成し、これら桟部により面板４を囲う保護枠を構成する。【選択図】図２
2005155984.tif 000002
【特許請求の範囲】
【請求項１】
熱源を含む機能部品を支持するコンロフレームと、天板となる面板を上面に固定した、下方に開口する金属製の外ケースとを備え、コンロフレームに外ケースを上方から被せた状態で外ケースをコンロフレームに固定した卓上式コンロにおいて、
外ケースの前面部分と左右の各側面部分と後面部分とを、夫々、面板の前縁に対向する前桟部を有する金属の押し出し成形材で形成される前パネルと、面板の左右の各側縁に対向する側桟部を有する金属の押し出し成形材で形成される各サイドパネルと、面板の後縁に対向する後桟部を有する金属の押し出し成形材で形成される後パネルとで構成し、これらパネルを面板の下側に配置する連結部材を介して相互に連結することにより、前桟部、側桟部及び後桟部で面板を囲う保護枠が構成されるように外ケースを組み立てることを特徴とする卓上式コンロ。
【請求項２】
前記前桟部、前記側桟部及び前記後桟部の上端に、夫々、内方に張り出す張り出し部を形成し、これら各桟部の張り出し部と前記連結部材とにより前記面板の各縁部を上下から挟んで面板を外ケースに固定することを特徴とする請求項１に記載の卓上式コンロ。
【請求項３】
前記前桟部、前記側桟部及び前記後桟部の上端と下端とに、夫々、内方に張り出す張り出し部を形成し、これら各桟部の上下の張り出し部により前記面板の各縁部を上下から挟んで面板を外ケースに固定することを特徴とする請求項１に記載の卓上式コンロ。
【請求項４】
前記連結部材を、前記面板の下側に面板に沿わせて配置した１枚の金属板で構成し、この金属板に前記前パネル、前記各サイドパネル及び前記後パネルを結合して、これらパネルを相互に連結することを特徴とする請求項１〜３の何れか１項に記載の卓上式コンロ。
【発明の詳細な説明】
【技術分野】
【０００１】
本発明は、熱源を含む機能部品を支持するコンロフレームと、天板となる面板を上面に固定した、下方に開口する金属製の外ケースとを備え、コンロフレームに外ケースを上方から被せた状態で外ケースをコンロフレームに固定した卓上式コンロに関する。
【背景技術】
【０００２】
従来、この種のコンロとして、外ケースを樹脂製とし、外ケースの上端に、面板を支持する内方への張り出し部を形成して、張り出し部の上面に面板を接着固定したものが知られている(例えば、特許文献１参照。)。
【０００３】
このものでは、面板の周縁が外ケースの張り出し部の上面上に露出しており、面板が例えばガラス製である場合、面板の周縁への異物の当接で周縁が破損する可能性がある。また、外ケースが樹脂製であるため、傷つきやすく、更に、熱劣化を生じやすく、耐久性の点で問題がある。
【０００４】
ここで、耐久性を改善するには、外ケースを金属製にすればよい。この場合、一般的には、鋼板をプレス成形して外ケースを形成することが考えられる。そして、外ケースの上面の面板を装着する開口縁部を窪ませ、この窪みに面板の周縁部を挿入した状態で、面板を外ケースの上面の開口縁部に接着固定すれば、面板の周縁を保護できる。
【特許文献１】特許第２９７３８０１号公報
【発明の開示】
【発明が解決しようとする課題】
【０００５】
ところで、外ケースを上記の如くプレス成形する場合は、成形上の要請から、外ケースの各面間のコーナ部に比較的大きなコーナアールを付けざるを得なくなる。ここで、各独立した卓上式コンロをユーザの好みに応じて複数並設する場合、視覚的に複数のコンロが一体的に連続しているような感じを与えられれば、商品性が向上する。然し、外ケースをプレス成形することで、外ケースの前面部分と左右の各側面部分とのコーナ部や、側面部分と上面部分とのコーナ部のコーナアールが大きくなると、各コンロが個々独立して存在する印象を与えやすく、複数のコンロの視覚的一体感は得られなくなる。
【０００６】
本発明は、以上の点に鑑み、外ケースを金属製として耐久性を向上させると共に面板の周縁を保護し、且つ、複数のコンロを並設した場合の視覚的一体感も得られやすくした卓上式コンロを提供することをその課題としている。
【課題を解決するための手段】
【０００７】
上記課題を解決するため、本発明は、熱源を含む機能部品を支持するコンロフレームと、天板となる面板を上面に固定した、下方に開口する金属製の外ケースとを備え、コンロフレームに外ケースを上方から被せた状態で外ケースをコンロフレームに固定した卓上式コンロにおいて、外ケースの前面部分と左右の各側面部分と後面部分とを、夫々、面板の前縁に対向する前桟部を有する金属の押し出し成形材で形成される前パネルと、面板の左右の各側縁に対向する側桟部を有する金属の押し出し成形材で形成される各サイドパネルと、面板の後縁に対向する後桟部を有する金属の押し出し成形材で形成される後パネルとで構成し、これらパネルを面板の下側に配置する連結部材を介して相互に連結することにより、前桟部、側桟部及び後桟部で面板を囲う保護枠が構成されるように外ケースを組み立てることを特徴とする。
【０００８】
本発明によれば、互いに独立したパネルを組み合わせて外ケースを組み立てるため、外ケースをプレス成形するものと異なり、外ケースの前面部分(前パネル)と側面部分(サイドパネル)とのコーナ部を角張らせることができ、更に、側面部分と上面部分(側桟部の上面)とのコーナ部もサイドパネルの押し出し成形で角張らせることができる。従って、本発明の卓上式コンロを複数並設する場合、コンロ間に外ケースの前面部分と側面部分とのコーナアールによるへこみや、側面部分と上面部分とのコーナアールによるへこみを生ずることがなく、複数のコンロの視覚的一体感を得やすくなり、商品性が向上する。更に、押し出し成形材で形成した各パネルは板金製のパネルに比し高剛性で撓み難く、外ケースを精度良く組み立てることができる。また、外ケースを組み立てることで構成される保護枠により面板の周縁が保護され、面板をガラス製としてもその周縁が破損することを防止できる。
【０００９】
尚、面板を固定するために、保護枠を構成する前桟部、側桟部及び後桟部の下端に夫々内方に張り出す張り出し部を形成し、これら各桟部の張り出し部により面板の各縁部の下面を受けさせた状態で、面板を各桟部に接着固定することも可能であるが、これでは接着剤の塗布作業が必要になり、組立作業の能率アップを図る上で障害になる。
【００１０】
これに対し、前桟部、側桟部及び後桟部の上端に、夫々、内方に張り出す張り出し部を形成し、これら各桟部の張り出し部と連結部材とにより面板の各縁部を上下から挟んで面板を外ケースに固定するように構成し、或いは、前桟部、前記側桟部及び前記後桟部の上端と下端とに、夫々、内方に張り出す張り出し部を形成し、これら各桟部の上下の張り出し部により前記面板の各縁部を上下から挟んで面板を外ケースに固定するように構成すれば、面板を固定するための特別な作業が不要になり、組立作業の能率アップを図る上で有利である。
【００１１】
ところで、面板がガラス製である場合、コンロ内部が見えないように面板を濃色に着色しても、コンロ内に入射した光の反射光が面板を透過してその部分が明るくなり、ユーザに違和感を与えることがある。この場合、連結部材を、面板の下面を覆う１枚の金属板で構成し、この金属板に前パネル、各サイドパネル及び後パネルを結合して、これらパネルを相互に連結するように構成すれば、コンロ内からの光が面板を透過することを防止する遮光板として金属板が機能し、上記の不具合は生じない。また、金属板は、面板が破損したときの破片受けとしても機能し、破片が飛散することを防止できる。
【発明を実施するための最良の形態】
【００１２】
以下、本発明の実施形態を図面を参照して説明する。図１は本発明の実施形態である卓上式ガスコンロと卓上式電気コンロを並設した状態を示す斜視図、図２は図１の卓上式ガスコンロの分解状態の斜視図、図３は図１の卓上式ガスコンロの縦断面図、図４は図１の卓上式ガスコンロのサイドパネル部分の横断面図、図５は図１の卓上式電気コンロの外ケースの分解状態の斜視図、図６は他の実施形態の要部の断面図である。
【００１３】
図１を参照して、Ａは熱源としてバーナを用いた卓上式ガスコンロ、Ｂは熱源としてヒータや電磁誘導コイルを用いた卓上式電気コンロであり、両コンロＡ，Ｂを並設して、コンポーネント化している。このガスコンロＡは、図２に示すように、バーナ１、バーナ用ガスバルブ２等の機能部品を支持するコンロフレーム３を備えている。そして、天板となる面板４を上面に固定した、下方に開口する外ケース５を設け、コンロフレーム３に外ケース５を上方から被せた状態で、外ケース５をコンロフレーム３に固定している。また、外ケース５には、面板４を囲う保護枠６が一体的に設けられており、面板４の周縁が異物の当接で破損することを防止できるようにしている。
【００１４】
外ケース５は、図２に示されているように、その前面部分を構成する前パネル７と、左右の側面部分を構成する左右一対のサイドパネル８，８と、後面部分を構成する後パネル９とを相互に連結して組み立てられる。これら各パネル７，８，９は、アルミ合金等の金属の押し出し成形材で形成されている。
【００１５】
前パネル７は、前端の起立板部７ａと、起立板部７ａの上端から後上がりに若干傾斜して後方にのびる上板部７ｂとを備えており、上板部７ｂに、これに開設した透孔７ｃを介してガスバルブ２の操作軸２ａに連結される操作摘み１０を配置している。そして、上板部７ｂの後縁に、図３に明示する如く、面板４の前縁に対向する保護枠６の前桟部６１を一体に垂設している。また、前桟部６１の上端に、内方(後方)に張り出す張り出し部６１ａを形成し、更に、前桟部６１に、下方に開口する溝６１ｂを形成している。
【００１６】
各サイドパネル８は平板状に形成され、その上縁部が、図４に示す如く、面板４の側縁に対向する保護枠６の側桟部６２になっている。そして、側桟部６２の上端には、内方に張り出す張り出し部６２ａが形成されている。また、前パネル７にオーバーラップするサイドパネル８の前部は、前パネル７の裏面に入り込むように、押し出し成形後の加工で前パネル７の裏面形状に合致する形状に形成されている。
【００１７】
後パネル９は、図３に示す如く、コンロフレーム３の後方上部に位置する高さ寸法が比較的小さな起立板部９ａと、起立板部９ａの上端の前方への屈曲部９ｂとを備えている。そして、屈曲部９ｂの前縁に、面板４の後縁に対向する保護枠６の後桟部６３を一体に垂設している。また、後桟部６３の上端に、内方(前方)に張り出す張り出し部６３ａが形成し、更に、後桟部６３に、下方に開口する溝６３ｂを形成している。尚、サイドパネル８の上縁には、前桟部６１と後桟部６３とが係合する前後の係合用切欠き部８ａ、８ｂが形成されている。そして、切欠き部８ａ、８ｂに前桟部６１と後桟部６３とを係合させることにより、前パネル７、サイドパネル８及び後パネル９が相互に位置決めされる。
【００１８】
前パネル７、左右のサイドパネル８，８及び後パネル９は、面板４の下側に面板４の下面を覆うようにして配置する、連結部材たる１枚の金属板１１を介して相互に連結され、これにより外ケース５が組み立てられると共に、前桟部６１、左右の側桟部６２，６２及び後桟部６３が組み合わされて保護枠６が構成される。金属板１１は、その前後において前桟部６１と後桟部６３の下端に当接される。そして、金属板１１の前後の各桟部６１，６３に対する当接部に取付け孔１１ａ，１１ｂを形成し、これら取付け孔１１ａ，１１ｂを通して前後の各桟部６１，６３の溝６１ｂ，６３ｂにビス１２をねじ込むことにより、前後の各桟部６１，６３、即ち、前パネル７と後パネル９とを金属板１１に結合している。また、金属板１１の左右の各側縁には、下方に屈曲するフランジ１１ｃが形成されている。そして、このフランジ１１ｃにねじ孔１１ｄを形成し、このねじ孔１１ｄにサイドパネル８に形成した取付け孔８ｃを通してビス１２をねじ込むことにより、サイドパネル８を金属板１１に結合している。金属板１１の前縁と後縁には、前後の各桟部６１，６３の外側で上方に屈曲するフランジ１１ｅが形成されており、これにより金属板１１の剛性を高めている。また、サイドパネル８の下部には、コンロフレーム３の側面部分に形成したねじ孔３ａに対応する取付け孔８ｄが形成されており、外ケース５をコンロフレーム３に被せた状態で、ねじ孔３ａに取付け孔８ｄを通してビス１２をねじ込むことにより、外ケース５をコンロフレーム３に固定している。
【００１９】
また、外ケース５を組み立てる際に、前桟部６１、側桟部６２及び後桟部６３の張り出し部６１ａ，６２ａ，６３ａと金属板１１とにより面板４の前縁部、側縁部及び後縁部が上下から挟まれて、面板４が外ケース５に固定される。尚、面板４には全周に亘ってパッキン４ａが装着されており、各桟部６１，６２，６３の張り出し部６１ａ，６２ａ，６３ａと金属板１１との間でパッキン４ａが圧縮され、良好なシール性が得られる。
【００２０】
尚、面板４は、セラミックガラス等の耐熱ガラスで形成されており、その中央部にバーナ１を臨ませる開口４ｂが開設されている。また、開口４ｂの周縁部には、割れ防止のための金属製の保護リング４ｃが装着されており、面板４上に、保護リング４ｃを覆うようにして五徳１３を載置している。また、本実施形態では、バーナ１として、内向きに開口する炎孔１ａを有する環状の内炎式バーナを用い、バーナ１上に設けたテーパー状のガイド１ｂによりバーナ１の炎を面板４の開口４ｂ内に導くようにしている。尚、バーナ１として外炎式バーナを用いることも可能であり、また、内炎式バーナを用いた卓上式ガスコンロと、外炎式バーナを用いた卓上式ガスコンロとを並設することも可能である。
【００２１】
ところで、本実施形態のようなガラス製の面板４を用いる場合、コンロ内部が見えないように面板４を濃色に着色するが、開口４ｂやコンロ後方からコンロ内に入射した光がコンロ内で反射して面板４を透過すると、その部分が明るくなり、ユーザに違和感を与える。然し、本実施形態では、面板４が下方から金属板１１で覆われるため、コンロ内からの反射光は金属板１１で遮られて面板４を透過せず、上記の不具合は生じない。また、金属板１１は、面板４が破損したときの破片受けとしても機能し、破片が飛散することを防止できる。
【００２２】
上記電気コンロＢも、ヒータや電磁誘導コイルから成る熱源やその通電コントローラ等の機能部品を支持するコンロフレーム(図示せず)と、ガラス製の面板４を上面に固定した外ケース５とで構成されている。この外ケース５は、図５に示す如く、上記ガスコンロＡの外ケース５とほぼ同様の構造になっており、ガスコンロＡの外ケース５と同様の部材に上記と同一の符号を付している。但し、電気コンロＢでは、面板４に開口４ｂは形成されておらず、五徳１３も載置されていない。また、本実施形態の電気コンロＢは、熱源として電磁誘導コイルを用いるＩＨ式のコンロＢであるが、この場合は、前パネル７、サイドパネル８及び後パネル９を連結する連結部材として上記金属板１１を用いると、電磁誘導コイルの作動で金属板１１に渦電流が流れて発熱する。そのため、ＩＨ式コンロでは、金属板１１は使用できない。そこで、連結部材として４個のコーナ金具１４を用い、面板４の下側に配置する前２個のコーナ金具１４，１４で前パネル７と左右のサイドパネル８，８とを連結し、面板４の下側に配置する後２個のコーナ金具１４，１４で後パネル９と左右のサイドパネル８，８とを連結している。この場合も、前桟部６１、側桟部６２及び後桟部６３の張り出し部６１ａ，６２ａ，６３ａと各コーナ金具１４とにより面板４の前縁部、側縁部及び後縁部が上下から挟まれて、面板４が外ケース５に固定される。
【００２３】
何れにしても、互いに独立したパネル７，８，９を組み合わせて外ケース５を組み立てるため、外ケース５をプレス成形するものと異なり、外ケース５の前面部分(前パネル７)と側面部分(サイドパネル８)とのコーナ部を角張らせることができ、更に、側面部分と上面部分(側桟部６２の上面)とのコーナ部もサイドパネル８の押し出し成形で角張らせることができる。従って、並設したガスコンロＡと電気コンロＢとの間に外ケース５の前面部分と側面部分とのコーナアールによるへこみや、側面部分と上面部分とのコーナアールによるへこみを生ずることがなく、両コンロＡ，Ｂの視覚的一体感を得やすくなり、商品性が向上する。更に、本実施形態では、サイドパネル８の前部を前パネル７の裏面に入り込ませており、そのため、視覚的に目立つ前パネル７がサイドパネル８を介さずに隣接するコンロの前パネル７に連接されることになる。その結果、隣接するコンロＡ，Ｂの前パネル７，７が一体的に連続しているとの視覚的な錯覚効果が得られ、両コンロＡ，Ｂの一体感の印象付け効果をより高めることができる。
【００２４】
また、押し出し成形材で形成した各パネル７，８，９は板金製のパネルに比し高剛性で撓み難く、外ケース５を精度良く組み立てることができる。更に、外ケース５を組み立てることで構成される保護枠６により面板４の周縁が保護され、面板４をガラス製としてもその周縁が破損することを防止できる。
【００２５】
また、外ケース５の組立工程において、保護枠６の各桟部６１，６２，６３の上端に形成した内方への張り出し部６１ａ，６２ａ，６３ａと連結部材(金属板１１、コーナ金具１４)とにより面板４の各縁部が上下から挟まれて、面板４が外ケース５に固定されるため、面板４の固定作業を別途行う必要がなく、組立作業能率が向上する。
【００２６】
尚、図６に示す実施形態のように、各桟部６１，６２，６３の上端と下端とに、夫々、内方に張り出す張り出し部６１ａ，６１ａ´、６２ａ，６２ａ´、６３ａ，６３ａ´を形成し、これら各桟部の上下の張り出し部により面板４の各縁部を上下から挟んで面板４を外ケースに固定することも可能である。但し、このものでは、面板４の周縁に装着するパッキン４ａを圧縮しながら各桟部の上下の張り出し部間に面板４の各縁部を押し込むことが必要になる。従って、作業性の面では、上記の如く各桟部６１，６２，６３の上端の張り出し部６１ａ，６２ａ，６３ａと連結部材(金属板１１、コーナ金具１４)とにより面板４の各縁部を上下から挟むことが望ましい。
【００２７】
また、上記実施形態では、面板４をガラス製としたが、アルミニウム等の金属製の厚板で面板を構成することも可能である。
【図面の簡単な説明】
【００２８】
【図１】本発明の実施形態である卓上式ガスコンロと卓上式電気コンロを並設した状態を示す斜視図。
【図２】図１の卓上式ガスコンロの分解状態の斜視図。
【図３】図１の卓上式ガスコンロの縦断面図。
【図４】図１の卓上式ガスコンロのサイドパネル部分の横断面図。
【図５】図１の卓上式電気コンロの外ケースの分解状態の斜視図。
【図６】他の実施形態の要部の断面図。
【符号の説明】
【００２９】
Ａ…卓上式ガスコンロ、Ｂ…卓上式電気コンロ、３…コンロフレーム、４…面板、５…外ケース、６…保護枠、６１…前桟部、６１ａ，６１ａ´…張り出し部、６２…側桟部、６２ａ，６２ａ´…張り出し部、６３…後桟部、６３ａ，６３ａ´…張り出し部、７…前パネル、８…サイドパネル、９…後パネル、１１…金属板(連結部材)、１４…コーナ金具(連結部材)。
【図１】
2005155984.tif 000003
【図２】
2005155984.tif 000004
【図３】
2005155984.tif 000005
【図４】
2005155984.tif 000006
【図５】
2005155984.tif 000007
【図６】
2005155984.tif 000008